(57)【特許請求の範囲】
【請求項１】
コンクリート基礎天端から突出するアンカー筋に、前記コンクリート基礎の厚さ方向に長い長孔を形成したアンカー筋固定部と、該長孔の長手方向の端部近傍に設けられた下地金物固定部とで段差が形成されて構成された略イナズマ形状のつなぎ金物のアンカー筋固定部の長孔を挿通して固定し、且つつなぎ金物の下地金物固定部をコンクリート基礎天端に配置したフラットバーまたはアングルの壁パネル下地金物に重ねて固定してなることを特徴とするアンカー筋と壁パネル下地金物の固定構造。
【請求項２】
コンクリート基礎天端から突出するアンカー筋に、前記コンクリート基礎の厚さ方向に配列した複数の孔を形成したアンカー筋固定部と、該孔の配列方向の端部近傍に設けられた下地金物固定部とで段差が形成されて構成された略イナズマ形状のつなぎ金物のアンカー筋固定部の孔を挿通して固定し、且つつなぎ金物の下地金物固定部をコンクリート基礎天端に配置したフラットバーまたはアングルの壁パネル下地金物に重ねて固定してなることを特徴とするアンカー筋と壁パネル下地金物の固定構造。
【発明の詳細な説明】
【０００１】
【産業上の利用分野】
本発明は、コンクリート基礎に埋めこんだアンカー筋に対し、コンクリート基礎天端上に配置する壁パネル下地金物の接合を確実に行うことのできる壁パネル下地金物の固定構造に関する。
【０００２】
【従来技術】
壁パネル下地金物として、コンクリート基礎上にアングルやフラットバーなどを配置し、これをアンカー筋に固定する。この際、下地金物はコンクリート基礎に対して所定の位置に位置決めされなければならないが、アンカー筋の位置精度を確保することは難しい。
【０００３】
このため、アンカー筋とこれら下地金物を確実に接触させて溶接するため、従来は、発泡ポリスチレンなどをアンカー筋の回りに取り付けて基礎コンクリートを打設し、後にこの発泡ポリスチレンなどを取り去って、アンカー筋周りに基礎上面から５cm程度の深さに穴を形成し、その範囲でアンカー筋を自由に曲げることができるよう構成することが行われている（第１従来方法）。そして、アンカー筋がアングル等の下地金物の一部に接触し、かつ下地金物が所定の位置に位置決めできるようにアンカー筋を倒し、両者を溶接等により固定し、その後、壁パネルの建て込み時に穴をモルタルを使って埋める処理を行っていた。
【０００４】
また、発泡ポリスチレンを用いて穴を形成せず、コンクリート基礎天端から突出したアンカー筋をその元部で単に曲げて下地金物に固定する方法も用いられ、曲げにくい場合は、曲げる方向にアンカー筋元部を一部はつってアンカー筋を倒す方法も採られていた（第２従来方法）。
【０００５】
【発明が解決しようとする課題】
しかしながら、上記第１従来方法では、発泡ポリスチレンの取付作業を行わなければならず手間であることに加えて、かかる作業は、壁パネル工事の範疇に入らず、コンクリート基礎の構築作業時に予め行なう必要があり、コンクリート基礎構築作業を行う作業者に後工程で必要となるかかる作業を行ってもらう必要があるという問題もあった。さらに、アンカー筋と下地金物との溶接後、さらにアンカー筋周りの穴をモルタル等を用いて埋めなければならず、フラットバーやアングル等の下地金物は乾式工法であるため、壁パネルの建て込み作業者が、このためだけにモルタル混練作業を行わなければならず、施工効率に劣るという問題があった。
【０００６】
まだ、第２従来方法では、基礎目地寸法を低く押さえるためアンカー筋をその元部付近で曲げる必要があるが、曲がり部分がふくらみ基礎目地幅を超えてしまう場合がある。例えば、アンカー筋の直径が１０mm、基礎目地幅を１０mmとした場合、曲がり部分はコンクリート基礎から１２mmほど膨らんでしまうために、壁パネル下端に接触して壁パネルの建て込みを阻害する問題があった。また、このように曲げたアンカー筋は水平とならないために、下地金物との溶接が点溶接になって充分な溶接強度を得られないという問題もあった。また、この問題を改善するために、アンカー筋元部のコンクリート基礎上面をはつってアンカー筋を曲げることもできるが、複数のアンカー筋それぞれについて、かかる作業を行うとすると、施工時間がかかり施工効率が悪いという問題があった。
【０００７】
そこで、本発明の目的は、コンクリート基礎上のアンカー筋に壁パネル下地金物を固定するに際し、施工効率に優れ、かつ溶接強度も確実に確保することができる壁パネル下地金物の固定構造を提案することにある。
【０００８】
【課題を解決するための手段】
第１の本発明は、コンクリート基礎天端から突出するアンカー筋に、前記コンクリート基礎の厚さ方向に長い長孔を形成したアンカー筋固定部と、該長孔の長手方向の端部近傍に設けられた下地金物固定部とで段差が形成され、略イナズマ形状としたつなぎ金物のアンカー筋固定部の長孔を挿通して固定し、且つつなぎ金物の下地金物固定部をコンクリート基礎天端に配置したフラットバーまたはアングルの壁パネル下地金物に重ねて固定してなることを特徴とするアンカー筋と壁パネル下地金物の固定構造である。
【０００９】
また、第２の本発明は、コンクリート基礎天端から突出するアンカー筋に、前記コンクリート基礎の厚さ方向に配列した複数の孔を形成したアンカー筋固定部と、該孔の配列方向の端部近傍に設けられた下地金物固定部とで段差が形成され、略イナズマ形状としたつなぎ金物のアンカー筋固定部の孔を挿通して固定し、且つつなぎ金物の下地金物固定部をコンクリート基礎天端に配置したフラットバーまたはアングルの壁パネル下地金物に重ねて固定してなることを特徴とするアンカー筋と壁パネル下地金物の固定構造である。
【００１０】
【発明の実施の形態】
本発明の第一実施例を図１乃至図３を用いて説明する。図１は第一実施例のコンクリート基礎構造の一部断面斜視図、図２は第一実施例のつなぎ金物の斜視図、さらに図３はつなぎ金物の他の使用例を示すコンクリート基礎構造の一部断面斜視図である。
【００１１】
図１に示すように、コンクリート基礎２には、所定の間隔でアンカー筋５が埋めこまれており、このアンカー筋５はコンクリート基礎２の上面２ａから垂直方向に突出している。コンクリート基礎２の長さ方向に沿って、その上面には下地金物である長板状のフラットバー３を横たえて配置しており、このフラットバー３は、アンカー筋５に対して、つなぎ金物１を介して固定されている。そしてフラットバー３とコンクリート基礎２間にセメントレベラー４を流して壁パネルを建て込む下地を構成したものである。
【００１２】
図２に示すように、つなぎ金物１は板状の本体１ａにその長手方向に長孔１ｂを形成したものである。この長孔１ｂの幅はアンカー筋５の直径と同径であって、アンカー筋５をこの長孔１ｂに差し込んだ場合、つなぎ金物１は長孔１ｂの長手方向に沿ってスライド可能な構造となっている。
【００１３】
つなぎ金物１の本体１ａは中途部で段差１ｃが形成されて略イナズマ金具となっており、この段差１ｃを境界として一段高くなった部分をフラットバー固定部１ｄとし、一段低くなった部分をアンカー筋固定部１ｅとする。このフラットバー固定部１ｄは、その下面をフラットバー３の上面に重ねたうえで、これらつなぎ金物１とフラットバー３とを溶接する。このため、つなぎ金物１のアンカー筋固定部１ｅは、段差１ｃ分下がってフラットバー３の下面と略同じ高さとなり、セメントレベラー４の上面と接触して、フラットバー３の水平を出しやすくなる他、アンカー筋５とつなぎ金物３とを溶接する際、この溶接部が建て込むパネルの下面と干渉することを防ぐ。
【００１４】
次に、上記したつなぎ金物１を用いた、コンクリート基礎構造の構築方法について説明する。まず、コンクリート基礎２の上面にセメントレベラー４を流し、これを硬化させて、基礎天端の水平を確保する。そして、コンクリート基礎２に埋めこんだアンカー筋５をつなぎ金物１の長孔１ｂを差し込むように取り付け、これと並行して、コンクリート基礎２の上端２ａに、コンクリート基礎２に墨出しした基準線や水糸を用いて、レベルを確認しながらフラットバー３を配置する。そして、アンカー筋５に沿って、つなぎ金物１の長孔１ｂ位置を動かすことによってつなぎ金物１をコンクリート基礎２の厚さ方向にスライドさせ、フラットバー固定部１ｄがフラットバー３の上面に乗るように位置決めする。両者を溶接して固定したあと、さらにアンカー筋５とつなぎ金物１を溶接し、アンカー筋５に対してフラットバー３を固定する。
【００１５】
つなぎ金物１の溶接して余ったアンカー筋５は、溶接装置等を用いて切断する。その後、フラットバー３に図示しない壁パネルの下端を乗せ、これを建物躯体に建て込み、作業を終了する。
【００１６】
なお、つなぎ金物１の厚みを壁パネル下面とフラットバー３間の隙間間隔より薄くすれば、このつなぎ金物１が壁パネル下面に接触して不具会いが生じることを防止することができる。また、壁パネルとフラットバー３との間に隙間を設けない設計の場合など、壁パネルとつなぎ金物１が一部個所で抵触する場合、抵触部分において、壁パネルの下面を部分的にはつるなどして対応する。
【００１７】
図３に示すように、アンカー筋５をつなぎ金物１の長孔１ｂに挿入した際、さらにワッシャー６を上から重ねたのち、溶接作業を行ってもよい。この場合、アンカー筋５とワッシャー６、さらにワッシャー６とつなぎ金物１とを溶接、固定する。ワッシャー６を用いることにより、ワッシャー６がアンカー筋５及びつなぎ金物１に対し広い面積で接触し、溶接をより確実に行って、溶接強度を向上させることができる。
【００１８】
本発明の第二実施例を図４を用いて説明する。本実施例のつなぎ金物は、上記したワッシャーを、予めつなぎ金物11の長孔11ｂに組み込んだものである。図４はつなぎ金物の構造を説明する図である。その他、第一実施例と同様の構造については同一の符号を付して説明を省略する。
【００１９】
同図(a) に示すように、同実施例のつなぎ金物11は、第一実施例のつなぎ金物と同様に、板状の本体11ａの長手方向に長孔11ｂを形成している。そして、その本体11ａは中途部で段差11ｃが形成されて略イナズマ金具となっており、この段差11ｃを境界として一段高くなった部分がフラットバー固定部11ｄとなり、一段低くなった部分がアンカー筋固定部11ｅとなっている。
【００２０】
また、同図(b) に示すように、長孔11ｂ上にはワッシャー11ｆが載置され、ワッシャー11ｆとつなぎ金物本体11ａにかけてリング部材11ｇが嵌入されている。そして、リング部材11ｇにはその両端にフランジ11ｈを形成して抜け止めとしており、つなぎ金物11から脱落することはなく、ワッシャー11ｆとリング部材11ｇは長孔11ｂに沿って一体に移動可能な構造となっている。
【００２１】
このように、本実施例のつなぎ金物11は、ワッシャー11ｆを構造的につなぎ金物11と一体化しているので、部品点数が少なくなり、作業現場での取扱いが容易となる。
【００２２】
本発明の他の構成例を図５に基づいて説明する。
【００２３】
また、つなぎ金物の位置決めを調節する機能のためには必ずしも長孔を用いる必要はなく、代わりに複数の孔を連続させた構造としてもよい。図５(a) (b) にこの構造例を示す。
【００２４】
同図(a) (b) のいづれのつなぎ金物13、14も、第一、第二実施例と同様に本体13ａ、14ａの中途部に段差13ｂ、14ｂを形成しており、複数の孔13ｃ、14ｃを本体13ａ、14ａの長手方向に並べて形成している。同図(a) のつなぎ金物13の複数の孔13ｃは隣接する孔と一体になって全体に連続した孔を形成している。但し、一部に曲線状の突起が残り、各孔13ｃの径はアンカー筋５の径と同等に設定されるため、一旦、アンカー筋５から外さない限り、つなぎ金物13をコンクリート基礎２の厚さ方向に移動することはできない。また、同図(b) に示すように、各孔14ｃを連続させずに距離を置いて穿孔した構造としてもよい。
【００２５】
いずれの場合も、第一、第二実施例のように長孔を用いた場合に比べ、アンカーボルト５と孔13ｃ、14ｃの接触面積が大きくなるために、溶接を確実に行うことができ、溶接強度を向上させることができる。
【００２６】
なお、上記実施例においては、下地金物としてフラットバーを用いたが、これに代えてアングルを用いる場合もある。また、上記実施例ではコンクリート基礎２の上部にセメントレベラーを打設する構造を示したが、セメントレベラーの打設は必須ではなく、たとえばつなぎ金物の配置位置に対応させて、フラットバーの下面に支持ブロックを置いて支持することもできる。また、フラットバーの溶接後、セメントレベラーを後打ちしてもよい。
【００２７】
【発明の効果】
以上説明したように、本発明によっては、アンカー筋と下地金物とを固定するに際し、このつなぎ金物がアンカー筋に対して相対的に移動可能な構成としたので、アンカー筋の施工誤差をこの時点で容易に修正でき、結果として大きな溶接強度を確保することができる。また、つなぎ金物を略イナズマ形状としたのでフラットバーまたはアングルからなる壁パネル下地金物を押さえやすくできる。
【図面の簡単な説明】
【図１】第一実施例のつなぎ金物を用いたコンクリート基礎の一部断面斜視図である。
【図２】第一実施例のつなぎ金物の斜視図である。
【図３】第一実施例の他のつなぎ金物の使用例を示すコンクリート基礎の一部断面斜視図である。
【図４】第二実施例のつなぎ金物の斜視図である。
【図５】複数の孔を連続させたつなぎ金物の構成例を示す説明図である。
【符号の説明】
１、11、12、13、14・・・つなぎ金物
１ｂ、11ｂ、12ｂ・・・長孔
13ｃ、14ｃ・・・孔（連続した複数の孔）
１ｄ、11ｄ・・・フラットバー固定部（下地金物固定部）
１ｅ、11ｅ・・・アンカー筋固定部
２・・・コンクリート基礎
３・・・フラットバー（下地金物）
５・・・アンカー筋
【図１】
0003688800.tif 000002
【図２】
0003688800.tif 000003
【図３】
0003688800.tif 000004
【図４】
0003688800.tif 000005
【図５】
0003688800.tif 000006